(57)【要約】      （修正有）【課題】出入口にスライドファスナー等の開閉部材を一切使用しない洗濯ネットを提供する。【解決手段】適宜幅で長尺な網状生地１２の一方の短辺１３側を長手方向に適宜長さ谷折りし、他方の短辺側を長手方向に適宜長さ山折りして、前記網状生地１２を三つ折り形状に形成し、少なくとも両方の側部１５、１６をバイアステープ１７で縁取りした洗濯ネット１１である。【選択図】図１
0003163696.tif 000002
【実用新案登録請求の範囲】
【請求項１】
適宜幅で長尺な網状生地の一方の短辺側を長手方向に適宜長さ谷折りし、他方の短辺側を長手方向に適宜長さ山折りして、前記網状生地を三つ折り形状に形成し、少なくとも両方の側部をバイアステープで縁取りしたこと
を特徴とする洗濯ネット。
【請求項２】
前記網状生地の三つ折り形状は、等間隔に折り返されていること
を特徴とする請求項１に記載の洗濯ネット。
【考案の詳細な説明】
【技術分野】
【０００１】
本考案は、衣類等の洗濯物を収納して洗濯するための洗濯ネットに関するものであり、更に詳しくは、出入口にスライドファスナー等の開閉部材を一切使用しない洗濯ネットに関するものである。
【背景技術】
【０００２】
従来の洗濯ネットとしては、例えば図９に示す構成のものが知られている。この洗濯ネット１は網製の袋体２から成り、この袋体２の出入口３にはスライドファスナー４が設けられており、スライドファスナー４はスライダー５を備え、スライダー５には引手６が取り付けられている（特許文献１参照）。
【０００３】
このような構成の洗濯ネット１は、スライドファスナー４を開成して、出入口３から袋体２の内部に洗濯物を収納し、そしてスライドファスナー４を閉成してからこの洗濯ネット１を洗濯機に投入して洗濯するのである。
【先行技術文献】
【特許文献】
【０００４】
【特許文献１】特開平１１−１１４２７９号公報
【考案の概要】
【考案が解決しようとする課題】
【０００５】
この従来例の洗濯ネット１においては、スライドファスナー４を開閉操作する際に、うっかりしてスライダー５を洗濯物に噛ましてしまうことがあり、この場合は当該洗濯物を傷めるおそれがあるという問題点を有している。
【０００６】
また、洗濯槽の中では早い水流に伴って、スライドファスナー４の引手６に薄手の洗濯物等が引っ掛かることがあり、この場合も当該洗濯物を傷めるおそれがあるという問題点を有している。
【０００７】
従って、従来例における洗濯ネット１においては、スライドファスナー４のスライダー５や引手６に起因する洗濯物の損傷を防止することに解決しなければならない課題を有している。
【課題を解決するための手段】
【０００８】
前記従来例の課題を解決するための本考案の要旨は、適宜幅で長尺な網状生地の一方の短辺側を長手方向に適宜長さ谷折りし、他方の短辺側を長手方向に適宜長さ山折りして、前記網状生地を三つ折り形状に形成し、少なくとも両方の側部をバイアステープで縁取りしたことである。
【０００９】
また、前記網状生地の三つ折り形状は、等間隔に折り返されていること、；
を含むものである。
【考案の効果】
【００１０】
本考案に係る洗濯ネットによれば、出入口にスライドファスナー等の開閉部材を使用しないので、従来例のようなスライドファスナーのスライダーや引手に起因する洗濯物の損傷が生じないという優れた効果を奏する。
【００１１】
また、網状生地の三つ折り形状は、等間隔に折り返されていることによって、結果的に、洗濯物の収納部分が深く形成されることとなり、且つ収納部分が深く閉塞されることとなるので、洗濯中に洗濯物が洗濯ネットの外に抜け出ることがないという優れた効果を奏する。
【図面の簡単な説明】
【００１２】
【図１】本考案の第１実施例に係る洗濯ネット１１の斜視図である。
【図２】網状生地１２を展開した状態の正面図である。
【図３】図１のＡ−Ａ線断面図である。
【図４】洗濯ネット１１の使用方法を説明する断面図である。
【図５】洗濯ネット１１の使用方法を説明する断面図である。
【図６】本考案の第２実施例に係る洗濯ネット３１の斜視図である。
【図７】洗濯ネット３１の裏側を示す斜視図である。
【図８】図６のＢ−Ｂ線断面図である。
【図９】従来例に係る洗濯ネット１の正面図である。
【考案を実施するための形態】
【００１３】
次に、本考案の実施の形態について図面を参照しながら説明する。まず、図１及び図２１において、符号１１は洗濯ネットを示し、この洗濯ネット１１は、適宜幅で長尺な網状生地１２から形成される。
【００１４】
網状生地１２の大きさの一例を示すと、幅が約４０ｃｍ程度であり、長さが約１４４ｃｍ程度である。なお、種々な大きさの洗濯ネット１１を形成するために、様々な寸法の網状生地１２を用いてもよいことは勿論である。
【００１５】
この網状生地１２の一方の短辺１３側を、図２に示すように、谷折り線１３ａから長手方向に谷折りし、そして、他方の短辺１４側を山折り線１４ａから長手方向に山折りして、網状生地１２を三つ折り形状に形成する。
【００１６】
更に、三つ折り形状に形成した網状生地１２の両方の側部１５、１６に、図１に示すように、バイアステープ１７を縫着して縁取りを施し、網状生地１２のホツレやバラケを防止する。
【００１７】
このような構成の洗濯ネット１１は、図１及び図３に示すように、第１側面部２４と中間部２５と第２側面部２６とが一連に形成されることとなる。
【００１８】
網状生地１２の三つ折り形状は、図３に示すように、等間隔に折り返されているので、後述するように、洗濯物の収納部分１８が深く形成されることとなり（図４参照）、且つ収納部分１８が深く閉塞されることとなる（図５参照）。従って、洗濯中に洗濯物が洗濯ネット１１の外に抜け出ることがないという利点がある。
【００１９】
両方の短辺１３、１４は、バイアステープ１９が縫着されて縁取りが施されている。この場合は、短辺１３、１４のホツレやバラケが防止される。
【００２０】
更に、短辺１３、１４に縁取りしたバイアステープ１９は、赤色やピンク色等に着色されていることが望ましい。この場合は、洗濯物の出入口２０がひと目で視認できるので便利である。
【００２１】
網状生地１２の編み目２２は、図１に示すように、六角等の多角形状であることが望ましい。この場合は、網状生地１２の伸縮性が向上することとなる。
【００２２】
バイアステープ１７又はバイアステープ１９には、輪状の係止片２３が縫着されている。この係止片２３は、図示しない洗濯挟み等で挟んで洗濯ネット１１を干すことができるので便利である。
【００２３】
このように構成された洗濯ネット１１は、従来例のようにスライドファスナー等の開閉部材を一切使用しないので、スライドファスナーのスライダーや引手に起因する洗濯物の損傷が生じない利点がある。
【００２４】
次に、洗濯ネット１１の使用方法について説明する。なお、洗濯ネット１１は、表裏が同一形状であり、つまり、第１側面部２４と第２側面部２６とは中間部２５を介して対称的に形成されている。
【００２５】
従って、第１側面部２４と中間部２５との間を洗濯物の収納部分１８として使用することが可能であり、また、第２側面部２６と中間部２５との間を洗濯物の収納部分として使用することも可能である。
【００２６】
しかし、ここでは理解を容易にするために、第１側面部２４と中間部２５との間を洗濯物の収納部分１８とし、第２側面部２６を収納部分１８を閉塞するための折り返し部分として説明する（図３参照）。
【００２７】
まず、図４に示すように、洗濯ネット１１の出入口２０から洗濯物２１を収納部分１８に押し込む。そして、図５に示すように、第２側面部２６を反転して折り返し、出入口２０を塞ぐと共に、収納部分１８が第２側面部２６に包み込まれた状態になる。この状態で洗濯ネット１１を洗濯機に投入して洗濯する。
【００２８】
この場合、網状生地１２の三つ折り形状が等間隔に折り返されているので、前述のように、洗濯物２１の収納部分１８が第１側面部２４と中間部２５との間で深く形成されることとなる（図４参照）。また、収納部分１８が第２側面部２６に包み込まれて、深く閉塞されることとなる（図５参照）。従って、洗濯中に洗濯物２１が洗濯ネット１１の外に抜け出ることがない。
【００２９】
洗濯が終了して、洗濯ネット１１から洗濯物２１を取り出す時には、第２側面部２６を元の位置に反転させてから（図４参照）、出入口２０から収納部分１８に手を差し入れて、洗濯物２１を取り出せばよい。
【００３０】
次に、図６から図８に本考案の第２実施例に係る洗濯ネット３１を示す。この第２実施例においては、前記第１実施例と同一部分には同一符号を付して、その詳細は省略する。
【００３１】
洗濯ネット３１は、図６に示すように、一方の短辺３２における出入口３３の近傍に、「せんたくもの出入口」等の表示部３４が設けられている。この表示部３４は、適宜の布片やタッグ等を縫着又は接着等の取付手段で取り付けてもよく、あるいは、網状生地１２に直接記載してもよい。このように、表示部３４を設けることにより、洗濯物の出入口３３がひと目で視認できるので便利である。
【００３２】
洗濯ネット３１の他方の短辺３５は、図７及び図８に示すように、長手方向に対してやや短めに形成されている。このように、短辺３５が形成されることにより、第２側面部２６を反転して折り返して出入口３３を塞ぐ時（図５参照）に反転作業が容易に行える。
【００３３】
また、洗濯ネット３１は、図７に示すように、バイアステープ１７に係止片３６が縫着されている。この係止片３６は、図示しない洗濯挟み等で挟んで洗濯ネット３１を干すこと等ができるので便利である。
【符号の説明】
【００３４】
１    洗濯ネット
２    袋体
３    出入口
４    スライドファスナー
５    スライダー
６    引手
１１  洗濯ネット
１２  網状生地
１３  一方の短辺
１３ａ  谷折り線
１４  他方の短辺
１４ａ  山折り線
１５、１６  側部
１７  バイアステープ
１８  収納部分
１９  バイアステープ
２０  出入口
２１  洗濯物
２２  編み目
２３  係止片
２４  第１側面部
２５  中間部
２６  第２側面部
３１  洗濯ネット
３２  一方の短辺
３３  出入口
３４  表示部
３５  他方の短辺
３６  係止片
【図１】
0003163696.tif 000003
【図２】
0003163696.tif 000004
【図３】
0003163696.tif 000005
【図４】
0003163696.tif 000006
【図５】
0003163696.tif 000007
【図６】
0003163696.tif 000008
【図７】
0003163696.tif 000009
【図８】
0003163696.tif 000010
【図９】
0003163696.tif 000011